(57)【要約】      （修正有）【課題】従来の可変巻線形変圧器の重量を１／２とし、火花を１／４００以下とし、製作可能最大巻線容量を５０倍程度とし、６６００Ｖ、１０００ＫＶＡ程度の寿命３０年の可変巻線変圧器を作りこれを用いた電圧調整機を提供する。【解決手段】内鉄形変圧器の脚に取り付けた回転する巻枠２台を同時に同じ方向に回転させて、巻枠の巻線を相互に移動させて電圧を調整する。巻線は帯状の導体を重ね合わせて巻き癖の屈伸を最小にしながら大電流を流す、回転部から固定部に集電するために枠の上下に輪形コイルまたは集電リングを取り付けこれにブラシを接触させる。【選択図】図１６
2011018867.tif 000002
【特許請求の範囲】
【請求項１】
１、  無鉄形変圧器の右左２本の主脚鉄心の内側にそれぞれ固定巻線を巻き、固定巻線の外側にそれぞれ回転可能な２本の巻枠を取り付け、左右二つの巻枠を同じ方向に回転させる機構を持ち、右側の巻枠の巻線（以下本文では可変巻線と記す）を左側の巻枠に巻き取ると同時に、左側の巻枠の可変巻線を右側の巻枠に巻き取り、お互いに巻き解いた巻枠のスペースに巻線を巻き取る構造を有すること。２、  可変巻線は帯状の導体を６〜１５枚重ねたものを使用すること。３、  巻枠の上下に輪形コイルまたは集電リングを取り付け、可変巻線の終端部を輪形コイルまたは集電リングの導電部に接続すること。４、  上記の輪形コイルは中心に鉄心があり、この鉄心に巻線を３０〜６０回巻き、その終端部を輪形コイルに接続した構造であること。５、  集電リングは一部を絶縁物とし、他の部分を導体とした輪形の形状であること。６、  集電リングには２個のブラシを取り付け、ブラシと電源の間にそれぞれ小型変圧器の１次側を接続し、２時側に半導体スイッチを接続すること。７、  以上の６項目の構造を同時に使用することを特徴とする可変巻数変圧器。
【発明の詳細な説明】
【技術分野】
【０００１】  本発明は商用電力の配電線に用いることを目的とした、可変巻数変圧器による負荷時電圧調整機に関する。
【背景技術】
【０００２】  従来、商用配電線に用いる負荷時電圧調整機は半導体または機械的スイッチを用いて変圧器のタップを切り替えるものであった。  巻数を負荷時に変える配電線用負荷時電圧調整機が実用された例は無い。  文献としては下記のものがある。【特許文献１】公開、昭５４−４８０３３（特願  昭５３−１０４４８０）
【特許文献２】公開、昭６０−００７１７（特願  昭５８−１０９６３９）
【特許文献３】特表  ２００１−５１８７００
【０００３】  公開、昭５４−４８０３３について説明する。  この発明では、図１，２，５に示す、スリップリング５ａ、５ｂの上をブラシ６ａ、６ｂが移動してコイルの電流を外部に取り出しているが、スリップリングに分離箇所１６があり、これをブラシが移動する時に図５のリアクトル１９の電流を切り火花を発生するためスリップリングおよびブラシが損耗し、絶縁油の中で用いる場合は絶縁油の劣化を招く。【０００４】  特にブラシが分離箇所を移動する速度が変圧器のタップ切替機のように５ｍＳ程度の高速度ではなく、０．５秒〜５秒程度かかるので火花の継続時間が長くなり損耗や劣化が多くなる。  この問題を実際の配電線用の負荷時電圧調整機を例にとって計算すると、６６００Ｖ、１０００ＫＶＡ、電流８７Ａ、巻数１回あたりの電圧６Ｖと仮定すると、８７Ａ、６Ｖの電力をリアクトルによって短絡電流を防止して火花を制限しながら、変圧器タップ切替機の５０〜１００倍程度の頻度でゆっくりと開閉することになる。【０００５】  可変巻数形変圧器の１回巻き当たりの電圧を６Ｖと仮定し、従来の変圧器タップ切替機のタップ電圧を１２５Ｖと仮定すると開閉頻度は１２５／６倍、火花の元になる開閉電圧は逆に６／１２５倍となり電圧の大きさによる火花の大きさは頻度と掛け合わせると同じになる。しかし実際にはタップを切り替える方式は中間に抵抗を取り付けて短絡を防止しながら火花を抑制しているので、リアクトルの電流を直接切るものと比較して、１０倍以上の差が出る。  タップ切り替え方式は開閉時間が５ｍＳ程度であるのに対し、可変巻数形変圧器の場合は０．５秒程度のため火花は１００倍の差が出るので合計１０００倍の火花による損傷が見込まれる。【０００６】  この場合、火花による開閉部分の損耗および絶縁油の劣化の程度が、配電線の負荷時電圧調整機としては許容限界を超える。  図１の場合は巻数によって巻線の直径が変わるので図２のような歯車１５ａ１５ｂによって回転することは不可能である。  図１のように薄い帯状の絶縁された導体を４０〜１００回巻き替えると、電気導体はその重さにより下に移動して下部が変形したり磨耗したりする。  これを防止するためには装置全体を横置きにする必要があるが、横置きにすると絶縁油や空気の自然流通が出来なくなり、温度上昇を発生する。  図３、の場合は巻き取り可能であるが、コイルが片方にしか巻かれていないので当社発明に比較して鉄心が２倍になる。【０００７】  この欠点は従来の発明全てに共通しているもので、本発明に比較して鉄心の重量が２倍、タンクの容量もほぼ２倍、可変巻数１回当たりの電圧も同じ可変電圧の場合２倍となる。  図３の場合右側のコイルの端部はスリップリングに接続されているが、左側のコイルの端部は下になるので、どこにも接続されていないことになる。  図３の左側のスリップリングを上ではなく、下に取り付ければこの間違いは解決するのでこれは簡単なミスである。  さらに巻き癖の問題を解決していないので図３の場合は３Ａ程度の容量が限界である。【０００８】  次に、公開  昭６０−００７１７について説明する。  昭６０−００７１７の図３に示すように正巻線４ａ及び負巻線４ｂの電流を環状の正電極６ｃ負電極７ｃと接触子１０、１１によって外部に取り出すことになっているが、環状の電極はどこかに絶縁部を設けないと短絡コイルとなり焼損するので、この発明は動作原理が不成立である。  絶縁部分を設けると火花が大きく、先述場合と同じ結果となり使用不能である。【０００９】  無理に環状の電極の抵抗を増して短絡電流を負荷電流と同じ値にしても、この発熱は大きく、大容量の装置の場合例えば６６００Ｖ、１０００ＫＶＡ、Ｖ結線、調整電圧４００Ｖ、可変巻数２０回×２、の装置の場合、負荷電流８７Ａ、巻数１回当たりの電圧１０Ｖ、で計算すると環状の正電極で８７０Ｗ、負電極で８７０Ｗ、の熱が出るのでＶ結線の合計では３４８０Ｗの熱がでる。  配電線の短絡時には短絡電流が４０倍となるので発熱量は１６００倍の大きさになり短時間であっても焼損の恐れがある。【００１０】  さらに図３の正ボビン６に巻かれた２次巻線４は歯車の回転によって正ボビン６から負ボビン７に巻き替えられることになっているが、コイル４ａから４ｂに移動する箇所の曲げの半径が小さくなり、丸線では１Ａの巻線が限界になる。  さらに２次巻線の巻き癖が逆になるので、たとえば８７Ａの大電流を流すことが出来る太さの電線の移動は、柔らかい撚線を用いたとしても困難であり、柔らかい網状の線を用いた場合、曲げられた線を逆方向に巻きつける時、一部の細い素線に力が集中することになる。【００１１】  さらに摩擦による磨耗によって素線切れの恐れがあり、上下左右方向に変形および移動が自由であるような線では、巻き取りによって型崩れを起こし巻き取り不可能である。  もし公開、昭６０−００７１７の図の通り、丸い線とすれば、電線の直径は細くなり許容電流は３Ａ以下の小電流となるが、それなら従来のスライダックのほうが実用的である。【００１２】  正巻線は０Ｖから最大まで、負巻線も０Ｖから最大までしか変化しないので、正の最大電圧を発生した時は負の電圧は０Ｖであり、鉄心の半分は使用されないので、鉄心の利用効率は他社の発明の１／２以下であり、当社の発明の１／４以下である。  したがって鉄心重量も当社発明の方式に比較して４倍以上になる。【００１３】  次に、特表２００１−５１８７００について説明する。  この発明では図１の巻線５の片端を貯蔵手段（１２）に巻き取り、他端をアースに接続しているが、スリップリングを用いないで回転すれば、片端を巻き取ると同じだけ他端が巻きほどされるため、巻き数に変化が無く、電圧調整は出来ない。  これを解決する手段として図６及び［００３８］項の文に１００Ωから１０００Ωの抵抗を持つリングとブラシにより外部に電流を取り出すことが書いてあるが、上記の本文［０００９］項に記したようにこの方法は発熱のため不可である。  図３のように鉄心（コア）を１８ａ、１８ｂに分割し、絶縁材料の円板２０をこの間に挿入し、この円板に取り付けられた半径方向導線２２ａを通過して出導線２１、２１ａより電線を外部に引き出すことが書いてあるが、半径方向導線２２ａを正方形とすれば仮に１００Ａを流すことが出来る線は一辺の長さが６ｍｍ程度になり、この線を通す６ｍｍ以上の空間を鉄心に作ることになる。【００１４】  空間を狭くする目的で半径方向導線２２ａを導体の円板にしても、こんどは円板に大き��過流損が発生するので使用不可能である。  上記のように空間を作ると磁気抵抗が増して変圧器の励磁電流が増大してリアクトルになり、変圧器としては使用できないのでこの発明の明細書の［０００２］項にあるような１０００ＭＶＡのような大きさの変圧器は製作できない。  過大な損失と励磁電流の増大により小型の変圧器でも製作不能と思われる。  従ってこの発明は動作原理が不成立である。【００１５】  さらに、出導線２１、２１ａより電線を外部に引き出す場合に鉄心の中心に穴をあけここから線を引き出すようになっているが、回転部分もあり絶縁が困難である。  この問題を解決するために鉄心と出導線をアースするように書いてあるが、これでは配電線の６６００Ｖのような電圧を加えることは出来ない。  さらに、不要な電線を貯蔵手段（１２）に貯蔵しているので当社発明では不要なものが場所を取り、外形が大きくなり重量が増す。  鉄心の重量も当社発明の方式に比較して２倍以上になる。【００１６】  右巻きに巻いた電線を左巻きに巻きかえると大電流の場合、巻癖が問題になるがこれを解決する手段が記載されてないし実際に不可能である。  ００１４項にＸＬＰＥケーブルはケーブルの直径の約４倍、好ましくは１２倍の曲率半径まで可能であると書いてあるが、これは１回だけ曲げることが許可されているのであり、３０万回が許可されているわけではない。  直径３０ｍｍの線を約６５ｃｍの曲率半径で曲げたり平面に伸ばしたりすれば短い時間の内に断線する。  発生電圧をゼロから最大までとし、電圧の極性を変化させなければ巻癖の問題は緩和されるが、こんどは可変電圧が１／４になるので鉄心重量が４倍になる。  絶縁油を用いずに空冷であることが記載されているが、巻線ほか潤滑油がなければ滑らかな移動が出来ないので変形や摩滅を生じる。【００１７】  以上、従来の文献では  巻癖、火花、鉄心の減量、の内、どの項目をみても解決した項目は無く、現実にこの原理を用いた電圧調整機が完成した場合、その目標とする機能が理想的であるにもかかわらず、まったく市販されていない。  また、全ての文献は動作原理に無理があり試作した跡が見られない。
【発明の表示】
【発明が解決しようとする課題】
【００１８】  以上述べた従来の文献では可変巻数形変圧器は上記の通り動作原理が不成立であったり、鉄心が大きくなるため経済的に高価になったり、容量が小さくなったり、巻線の巻き癖が考えられてなかったり、スイッチ、ブラシ、スリップリング等から大きな火花が出たりした。  これらを全て解決することが本発明の課題であるが、さらに可変巻数形変圧器ではなく、現在、配電線に用いられているスイッチによりタップを切り替える方式の負荷時電圧調整機の問題点を本発明によって解決することが課題である。
【００１９】  タップ切り替え方式では、スイッチ部分に半導体スイッチ、真空スイッチ、絶縁油の中の切り替えスイッチ、等を用いる。  これらは、切り替え回数および段数の制限があり、制御が階段状になって連続的でなく絶縁油を使用するものは切り替え時に発生する火花により絶縁油が劣化する。  半導体スイッチを用いるものは配電線の短絡事故時の短絡電流や雷の過大なサージ電圧に弱く、故障が頻発したので現在は使用していない。
【００２０】  配電線に多数のタップ切り替え式の電圧調整機を用いると始めの電圧調整機の電圧調整の影響を末端の電圧調整機が受けて切り替え回数が増すので、電圧調整機の間で、不感巾、積分時間、制御量、の協調が困難であり、電圧調整機の設定に大きな余裕を持たせる必要があるため、電圧調整結果に悪影響をもたらす。  さらに三相電源の各相間のアンバランスをなくすような制御は不可能である。  以上述べた従来の電圧調整機の問題点を解決することが課題の概要である。  ここで、本発明の可変巻数形電圧調整機特有の課題を箇条書きにする。
【００２１】１、  可変巻線は巻き戻した跡に別の脚の巻線を巻き、鉄心の重量を従来発明の１／２〜１／４にすること。２、  大容量の装置では可変巻線を帯状の導体の束として容量を大きくし、巻癖の屈伸率を最低にし、屈伸による金属疲労や、巻線重量による変形、摩擦による磨耗、等の障害を無くして、大電流を無理なく流すこと。
【００２２】３、  可変巻線に帯状の導体を用いた場合、一部または全体に銅合金を用い弾力性を持たせることにより屈伸による金属疲労に強くし、巻枠から外に出た部分ではバネの作用により自然に外に膨らむ巻癖をもたせ、曲率半径の変化を最小にして金属疲労を防ぐとともに、軟銅より硬い銅合金を一部使用して摩擦による磨耗を防ぐこと。４、  左右の巻枠の回転を等しくして導体を押し出す力と同じ力で引き込み、巻線に無駄な力を加えず、巻枠から離れている部分の導体の巻癖とバネ性を利用して巻線を自然に外側へ膨らませながら適当な張力を与え案内板等で楕円形に誘導し巻癖の曲率半径の変化を３倍程度にしながら、巻枠に隙間なく密着して巻き取ること。
【００２３】５、  スリップリング（当社の発明では輪形コイルまたは集電リング）の部分で電力損失や火花を出さないこと。６、  配電線の短絡事故や雷に強くするため、常時は巻枠を静止位置で静止させそれ以外の場所では高速度で回転させ、全ての部品を雷や短絡事故に充分耐えながら安価軽量になるよう設計すること。７、  巻枠は絶縁物であり、１００度以上の絶縁油の温度に耐え、電線の重量に耐え、導体との摩擦が少なく、歯車や溝等の加工が容易で機械的強度が充分あること。
【００２４】８、  絶縁物だけでは機械的強度が不足する場所には絶縁に注意しながら金属を使用すること。９、  全体として寿命が３０年以上であること。１０、３相のアンバランスをなくし連続的な電圧調整を高速度で行うこと。１１、従来のタップ切り替え式の電圧調整機と比較して、使用する鉄、銅、空間、タンクの大きさ、が従来の可変巻線形電圧調整機では２〜４倍であったものを同じ程度にすること。１３、巻枠を回転させる歯車機構やバネ、モータ及びモータの回転制御回路、静止位置の検出、調整電圧制御回路、ほか常識的な付属装置の開発。
【問題を解決するための手段】
【００２５】  本発明では、変圧器の２つの主脚鉄心にそれぞれ設置された２つの巻枠を同じ方向に回転して、巻枠の間を移動する巻線（以下この巻線のことを可変巻線と記す）を左の脚から右の脚へ巻き変えた跡にすぐ右の脚から左の脚へと巻き替えて鉄心を有効利用する。  従来の可変巻数電圧調整機に比較して同じ鉄心の大きさであれば２倍の電圧を発生し、さらに＋最大から−最大まで電圧を変化させるので、ゼロから最大まで変化させるものに比較して２倍の調整電圧範囲をもたせ、しかも巻線の曲率半径の変化を最小にする。  この巻枠は線を収納するための突起を持ち、突起で絶縁を保ちながら決められた場所に収納する。
【００２６】  配電線の電圧調整機は例えば６６００Ｖ、１０００ＫＶＡ、の定格で電圧上昇を３００Ｖ、電圧下降を１００Ｖ、のような場合、可変巻線部分で上昇２００Ｖ、下降２００Ｖの調整巾をもたせ、固定巻線の上昇１００Ｖと加算して上昇３００Ｖ、下降１００Ｖの調整巾を得る。
【００２７】  次に主脚の間の可変巻線を移動させる手段について説明する。  配電線用の電圧調整機として６６００Ｖ、１０００ＫＶＡ、定格電流８７Ａ、の例をとって考えると、可変巻線の定格電流は８７Ａで、このような大電流を流すために帯状の導体を数多く重ねて用い、可変巻線を巻き替える途中で巻枠の外に出る部分で線癖が支障にならないようにし、逆に巻癖を積極的に利用して線の通る道を自然に外部に膨らませて、巻線に必要な張力を与えて巻き取る。
【００２８】  材料は弾力性のある燐脱酸素銅板を用い、導電性を良くするため燐の含有量が少ないものとし、一例として６６００Ｖ、１０００ＫＶＡ、の電圧調整機の場合、幅は７〜９ｍｍ、厚さ０．５ｍｍ、の帯状導体８枚を重ねて使用する。  ８枚の導体が密着している時は幅７〜９ｍｍ、厚さ４ｍｍの台形、断面積３２ｓｑ（平方ｍｍ）の燐脱酸素銅板になり許容電流は８７Ａである。    導体に弾力性を持たせれば巻枠４，３から外に出ている部分は巻癖により外側に膨らみ、巻癖の変化がもっとも少ない楕円軌道を通って最小曲率半径の変化になる場所を移動する。
【００２９】  巻枠は両方同じように回転し、その結果、可変巻線のどちらか片方に力が多く掛かるようなことは無く、押し出す力と引き込む力が同じで、常に押し出した巻線を同時に同じだけ引き込むようにして巻数を変化させる。  巻枠と可変巻線との間の摩擦を少なくするために、巻枠３，４から外に出ている部分の重量を下から支えるための巻線支持板を設ける。  可変巻線の導体を導電性と弾力性を両立させる程度の燐含有量とし、短絡事故時に流れる４０００Ａ程度の短絡電流による外側に膨らむ力を受け止めるために、巻線支持板の上に案内板を設ける。
【００３０】  可変巻線が巻枠に巻かれた状態の直径と、巻枠の外に出た時の直径では巻枠に巻かれた時の直径が小さいため、可変巻線の内側は近道を通り、外側は遠い道を通るように案内板の通り道に余裕をもたせる。  案内板は機械的強度を充分持たせる必要があるため、金属によって製作し巻線支持板は人工大理石のような硬くて磨耗しない絶縁物を使用する。  また、配電線の短絡事故によって可変巻線が外に向かって膨らむ力を受けとめるためには案内板を出来るかぎり厚くして強度を持たせるとともに、巻線支持板、を上下させる棒ネジの直径を大きくし、さらに巻線支持板を変圧器の主脚の間の隙間を通して機械的に結合すれば、膨らむ力を相殺して受け止めることが出来る。
【００３１】  この案内板と、巻線支持板、は可変巻線の上下位置に合わせて上下させるが、主脚の間の可変巻線には線位置の上下による傾斜があるのでこれにあわせて精密な傾斜と上下位置を確保する上下機構を必要とする。  この上下機構はナットと棒ネジの組み合わせによるが、ナットはボールベアリングを用いた精密なボールナットを用いる。  また精密な位置を確保するためには棒ネジを３本以上用いて、上下機構の前後左右ねじれ等の誤差をなくすることも必要である。
【００３２】  巻線支持板にはバネを用いて可変巻線の全体を同じ力で支え、中央部を少し上部にふくらませて巻枠と可変巻線の間の摩擦を少なくする。  巻線支持板が磨耗することが心配されるが、巻線支持板に人工大理石を用い、絶縁油の中で使用するとほとんど問題にならないし、長年の間に巻線支持板に多少の磨耗や歪みが発生してもバネによって一定の重量を支えるようにして解決する。  それでも問題が発生する場合は可変巻線をモータで駆動されたローラーベアリングによって移動させる。
【００３３】  次に巻枠の回転について述べる。  巻枠は重量があるので、回転を受け止める部分にローラーベアリングを用いて軽く回転するようにするとともに、巻枠の下部を絶縁物と金属で補強して重量を安全に支える。  回転部はすべて絶縁油の中にあり、１秒間に１回転程度で回転するので振動や潤滑の問題はすくない。  実際の可変巻数形電圧調整機では、電圧を下げることは少なく、上げることが多いので、固定巻線により固定的に電圧を上げ、可変コイル部分は電圧を上下同じだけ変化させる。
【００３４】  巻枠や案内板を回転させたり移動させたりする機構は機構の専門家であれば容易に設計できるが、高温の絶縁油の中で絶縁物を主材料とする歯車を回転させるためには歯車に機械的な衝撃をあたえないように緩やかに加速するとともに右左の巻枠の歯車に同じ力がかかるようにしなければならない。  このため、巻枠の歯車を駆動する歯車の軸にバネを取り付け、回転にクッションを持たせて巻枠の歯車に同じ力が掛かるようにする。
【００３５】  本発明では回転する巻枠の中の巻線から固定した外部の電線に電流を取り出すために２つの手段を発明している。  次に第一の手段を説明する。  輪形（リング状）の鉄心に絶縁した電線を巻き、ブラシが接触する部分を裸導線にしたもの（以下輪形コイルと記す）を巻枠の上下の端部に取り付け、輪形コイルの一端に可変巻線の終端を接続し、導電部からブラシで集電する。
【００３６】  これによって変圧器の鉄心を１回巻くことによって生ずる電圧を輪形コイルの巻線間に（１／輪形コイルの巻数）に分布させる。  例えば変圧器の１回巻当たりの電圧が２．６Ｖで輪形コイルの巻数が４０回とすると輪形コイルの巻線間に０．０６５Ｖの電圧が分布することになる。  ここで、従来の発明では１回巻当たりの電圧が１０Ｖであったのに対し、本発明では２．６Ｖとなるのは、本発明の場合鉄心を利用しない部分を無くして鉄心の断面積（重量）を１／２とし、同じ巻線が＋方向と−方向の電圧を発生するので、電圧が倍に使用できるためここで１／２の鉄心とし、合計１／４の鉄心とするので、１回巻当たりの電圧を１／４にすることが出来るためである。
【００３７】  輪形コイルは絶縁電線を輪形の鉄心に巻き、ブラシが接触する部分を直流電動機の整流子のように裸の導体としたもので、巻き始めと巻き終わりを接続してある。  したがってこの輪形コイルには終端部がなく、巻き枠に巻かれた可変巻線の端末が輪形コイルの一部に接続される。  上記で絶縁電線を輪形の鉄心に巻き、と書いてあるのは理解を易しくするための表現で、実際の製作には半田付けの温度に耐えるように、４００度の高温度に耐える絶縁物で鉄心を絶縁し、２つのＬ形または短形を切り離した形の導体を結合して結合部を圧縮したり半田付けしたりして巻線をつくる。
【００３８】  これらの結合部は複雑な嵌め合わせを行う。  巻き終わった状態の輪形コイルを真空タンクに入れ、絶縁能力のある接着材を真空含侵させた後、表面を滑らかな円形状にし、縦に切れ目を入れる等の機械加工を行う。  円形の鉄心はその材料になる珪素鋼板を１回巻くごとに２．６Ｖ程度の電圧が発生するので適当に切断部分をもうけ珪素鋼板の間を絶縁したり、ダストコア（鉄粉を接着材と共に圧縮し成型したもの）を用いたりする。
【００３９】  また、ブラシが接触する部分は銅合金を使用し直流機の整流子のように旋盤で円形に仕上げるので上記の輪形の鉄心はその断面が矩形である。  このように輪形コイルの巻き始めと巻き終わりを接続すると、主脚鉄心が輪形コイルに誘起する電圧を（１／輪形コイルの巻数）に低減して輪形コイルの裸の導体部分に平等に分布させる。  従って、ブラシが切る電圧は従来の方式に比較して、（１／輪形コイルの巻数）になる。
【００４０】  しかしブラシに掛かる開閉電圧が仮に従来の１／４０になっても８７Ａ程度の電流をブラシが開閉すると火花が出てブラシを損耗するし、ブラシが隣の輪形コイルの裸の導電部（以下裸の導電部と記す）に跨ると０．０６５Ｖの電圧を短絡するので短絡電流が流れ輪形コイルの鉄心の磁束を流さないようにする。  この短絡電流を少なくするためには、裸の導電部のブラシの接触面に抵抗をもたせたり、ブラシの抵抗を大きくしたりする必要があるが、配電線には短絡事故があり、３０００Ａの電流が流れた場合、ブラシの接触面の抵抗を０．０１Ωとすると９０ＫＷの熱が出るので損傷する。
【００４１】  このため、ブラシや輪形コイルの裸の導電部に抵抗を持たせることは出来ない。  したがって、ブラシが通る部分だけは輪形コイルの裸の導体の電圧分布をほとんどゼロにしてブラシや裸の導電部の抵抗をほとんどゼロにしても輪形コイルに短絡電流は流れず、火花も出ないようにしなければならない。  裸の導電部の電圧分布は輪形コイルの中の鉄心に磁束が通るために発生するので、ブラシが通る部分だけは輪形コイルの鉄心の磁束を外部に取り出してバイパスし、輪形コイルの鉄心の磁束をこの部分だけゼロにする。  その手段として、ブラシの近くの輪形コイルにＵ字形の鉄心をもうけ、この鉄心にコイルを巻き、ブラシの近くの輪形コイルの磁束をＵ字形の鉄心（以下本文ではバイパス鉄心と記す）にバイパスする。
【００４２】  すると輪形コイル内のブラシの近くの鉄心に流れる磁束がゼロに近くなり、ブラシの近くのコイルの電位差がほぼゼロになるのでブラシの火花を防止する。  輪形コイル内の磁束は（主脚鉄心の磁束／輪形コイルの巻数）となるが、この磁束をバイパスするために、バイパス鉄心に巻かれたコイルにどのような位相角でどれだけの大きさの電流を流すべきかを決めるには、ブラシを除いた状態でブラシが跨ぐ部分の裸の導電部の電圧分布がゼロになるようコイルの電流の位相角と大きさを決める。
【００４３】  バイパス鉄心のコイルに流す電流は、位相角と大きさ、を設定できることが求められるので、可変巻数電圧調整機が接続されている配電線から取り出した３相電源を用い、特殊結線の変圧器とインピーダンスにより位相角とその大きさを調整する。  バイパス鉄心の磁束が通過する部分の裸の導電部には渦電流が流れて磁束の通過を妨げ、発熱するので裸の導体部に縦に多数の切れ目を入れて渦電流を防止するか、幅が狭く厚い導体を並列に用いてその間を絶縁する、等の方法により渦電流を少なくする。
【００４４】  これでブラシが隣の裸の導電部に跨った状態でも裸の導電部の電圧分布がほぼゼロなので短絡電流は流れず、火花も出ないのでブラシと裸の導電部の抵抗を０．００１Ω以下にすることが出来る。  抵抗が０．００１Ωの場合９ＫＷの熱が０．１秒程度出るが、熱の損傷を受けない。  ブラシの幅より広い幅を持った裸の導電部分をもうけ、この部分を静止位置とし、電圧を調整しない時は静止位置にブラシを置く。
【００４５】  静止位置の導電部分はコイルにならないよう一部を切断して絶縁し、この導電部分に可変巻線の端部を接続する。  ブラシが隣の裸の導体に跨っていない状態では輪形コイルをブラシで短絡しないので短絡電流が流れず、火花も出ないのでバイパス鉄心のコイルに流す電流はゼロにすることができる。  これによりＵ字形の鉄心に巻かれたコイルの磁束が輪形コイルを通過することによる損失および輪形コイルの損失を巻枠が静止した時はゼロにする。
【００４６】  したがって、ブラシと裸の導電部は電気抵抗が少なく、磨耗に耐える銅合金や銀、を中心にして低抵抗のカーボンを両側に配置したブラシを使用することが出来、絶縁油の中で低速回転し、火花もない状態で使用することを考えると、輪形コイルとブラシの摺動による磨耗は少ない。  輪形コイルに雷が入るとブラシが接続されている近くのコイルに雷の電圧が集中し絶縁破壊を起こしやすい。
【００４７】  これを防ぐために輪形コイルの絶縁を強化すれば外形が大きくなる。  この対策として輪形コイルの一回巻きごとに隣のコイルとの間にコンデンサを接続して雷の電流をコンデンサで通過させて電位を平等に分布させたり、金属箔のシールドをコイルに被せてその静電容量で雷電圧を均等に分布させる。
【００４８】  この時シールドが一回巻きの閉じた輪のコイルを形成し磁気を短絡したりしないように、どこかに切断面を縦方向と横方向の２箇所作る必要がある。  出来上がった輪形コイルを絶縁物で出来た巻枠に取り付けるために、輪形コイルの巻線の間の隙間に入る突起を巻枠に作り輪形コイルを接着剤と共に巻枠に押し込んだ後さらにネジ等で止めその上をさらに絶縁物で挟んで締め付けて固定する。
【００４９】  次に第二の手段を説明する。  この手段では先述の輪形コイルの代わりに一部を絶縁物とし、他の部分を導体としたリング（以下このリングのことを集電リングと記す）を用いる。  この集電リングに二個のブラシを接触させ、通常は両方のブラシが導体に接触し可変巻線の巻数が変わる部分では片方のブラシが絶縁部を通過し、他方のブラシは導体に連続的に接触する。  ここまでは特開５４−４８０３３と同じである。  集電リングの絶縁物の反対側の導体の中央部に可変巻線の端末を接続し、この部分を静止位置とする。
【００５０】  以下分り易くするために６６００Ｖ、１０００ＫＶＡ、定格電流８７Ａ、Ｖ結線の三相可変巻数電圧調整機の例をとって具体的な数値とともに説明する。  ブラシと外部に電流をとり出す端子との間に小型変圧器を接続し小型変圧器の１次側を例えば２．６Ｖ、８７Ａ／２の巻線とし、２次側を１００Ｖ、１．１Ａとする。  上記の数値は主巻線の１回巻き当たりの電圧と、定格電流／２、及び２次側電圧を適当な値たとえば１００Ｖに設定した場合の２次電流である。
【００５１】  小型変圧器の２次側（１００Ｖ側）に半導体スイッチを接続し２次巻線を短絡したり開放したりして、ブラシが集電リングの導電部から絶縁部に入る直前にこれに接続されたブラシの電流を遮断する。  ２つのブラシが両方とも集電リングの絶縁部から出て導電部にある時、２つの半導体スイッチを閉じる。  半導体スイッチには抵抗とコンデンサを直列に接続したものを並列に接続し半導体にかかるサージ電圧を低減する。
【００５２】  しかし、このままでは小型変圧器の励磁電流によってブラシに２．５Ａ程度の電流が流れるので小型変圧器に３次巻線を設け、リアクトル等のインピーダンスを通して別電源から励磁電流を供給する。  ３次巻線を用いないで２次巻線に励磁電流を加えても同じ結果である。  上記のリアクトルは抵抗やコンデンサ等を用いてもよいが、電源の電圧の大きさと位相角を調整してブラシに流れる電流が最も少なくなるよう、電圧の大きさと位相角を設定する。
【００５３】  以上により半導体スイッチで遮断した時のブラシに流れる電流を２．５Ａから０．１Ａ程度に低減することが出来る。  半導体スイッチにＳＣＲ（サイリスタ）を用いる場合は通過電流が保持電流より小さくなる場合に、通過電流を安定して通すことが困難になるので、ＳＣＲの通電中はゲートに小さい直流電流を流し続けてＳＣＲの通電状態を保つ。  以上により、ブラシに掛かる電圧は２．６Ｖ、電流は０．１Ａ程度に低減され、火花による損傷はほとんど無くなり寿命が長くなる。
【００５４】  小型変圧器は絶縁油の中に入れ、１次巻線に雷電圧に対する絶縁耐力を持たせ、２次巻線と３次巻線はその一端をアースして対地電圧を低下させた後、電線を接続して空気中に取り出し制御箱内の電子装置に接続する。  集電リングの絶縁物と導体の境目では材料の硬さ、磨耗の程度が異なるので長年使用すると階段状になりやすく、ここをブラシが通過する場合に障害になる。  これを防ぐためにリングの境目に滑らかな傾斜を持たせた溝を作り、この溝を斜めにしておけば両者の間に多少の段差があっても容易に通過することができる。  配電線の短絡事故による過電流は負荷電流の４０倍を想定するが、このとき小型変圧器の１次巻線を強制的に通る電流により生じる電圧降下は他方のブラシに流れる電流を簡略計算のためゼロとすると５Ｖ程度になる。
【００５５】  この場合２つの小型変圧器は磁気飽和状態になるが、導通状態の半導体スイッチには定格負荷電流の４０倍の電流が０．１秒程度流れ、開放状態の半導体スイッチには最大４倍程度のピーク電圧が加わる。  したがって半導体スイッチはＡＣ４００Ｖ、５０Ａ、の電圧、電流に０．１秒間耐えなければならないが、この程度であれば１６００Ｖ、５０Ａの安価な市販品がある。  雷電圧に対しては抵抗、コンデンサ、サージアブソーバ、等で対処できる。  短絡事故の過大な電流により２つの変圧器の鉄心が飽和するので、２つのブラシが導体に接触し、片方の半導体スイッチが開放状態でも開放側のブラシに１／３、半導体スイッチが短絡状態側のブラシに２／３程度の電流が流れる。
【００５６】  この時半導体スイッチが開放状態の側のブラシがちょうど導体と絶縁部の境目を通過し、ブラシがこの電流を遮断し場合、遮断電流はたとえば１１６０Ａであり、電圧は５Ｖ程度である。  この時の火花による損傷を出来る限り小さくし、短絡電流をブラシが遮断する回数を減少させるためにはブラシが絶縁物と導体の境目を早く通過しなければならない。  そのため、集電リングの絶縁物の反対側の導体を静止位置とし、ここに可変巻線の終端部を接続し、巻枠は静止位置から徐々に加速し、絶縁部で最高速度に達し、ここから徐々に減速して静止位置に戻るようにする。
【００５７】  巻枠は絶縁物のため機械的強度が弱いので、歯車部分とローラーベアリングを支持する部分に一部鉄を用いて補強する。  この場合、変圧器主脚の磁束を一回巻きのコイルになって短絡しないように、鉄の部分に切れ目を入れたり、歯車の接触面にだけ鉄を用いたりして絶縁する。  ローラーベアリングにも絶縁部分を入れる必要がある。  絶縁物だけで充分な機械的強度を得られる場合は補強の必要が無い。  静止位置から出発し、静止位置で停止するまでの速度経過は輪形コイルの場合も同様である。
【００５８】  短絡事故を遮断する頻度は最悪１０年に１回程度なので軽傷ですめば問題にはならない。  このため絶縁物と導体の境目付近の導体には銅合金を用いブラシは外側をカーボン、内側を銅または銀等を用いる。  可変巻線の終端部が静止位置にある時、ブラシも静止位置にあること、の条件を満足すれば、巻枠のどの場所を静止位置にしてもよい。  集電リングを使用する場合は２つのブラシの中間を上記の巻枠の静止位置とする。
【００５９】  以上で回転する巻枠の中の巻線から固定した外部の電線に電流を取り出すための２つの手段についての説明を終わる。  次にこれらの装置を駆動する装置について述べる。  インバータによって電圧と周波数及び相回転の方向を自由に変えられる電源によって駆動される歯車群付の交流モータ（以下本文ではこの歯車群付の交流モータをモータと記す）を２台または４台変圧器タンクの底に近い場所に取り付ける。  モータをタンクの底にしたのは温度が低いためであるが、モータとモータに直結した歯車群を一体としたものは空気中に置く必要がある。
【００６０】  油は空気より重いのでモータの軸を下向きに取り付け空気の代わりに窒素を封入し低速で回転する軸の部分にパッキンを取り付け、パッキンを通り抜けて歯車側に出てくる油を窒素の圧力で押し戻す。  窒素は大きなベローズに貯蔵しタンクの底に設置しタンクの底の油圧と窒素の圧力をバランスさせる。  空気中に置かない場合は極数の多い低速回転のモータを使用して、油の中で高速回転する回転子や歯車をなくする。
【００６１】  モータは本来１台で充分であるが歯車が多いので１台のモータで駆動すると末端の歯車に力が伝達するまでに機械損が大きくなり故障の原因になるし、２台以上のモータのトルクのバランスを電流によって検出して駆動機構の故障検出を行い、また歯車の一部を絶縁するため鉄の歯が常時どこかで接触するように２台以上使用する。  モータの回転を次々に歯車に伝達し巻枠と棒ネジを回転させる。  歯車の回転が急に巻枠に伝わると巻枠は絶縁物なので機械的に弱く破損する可能性があるのでモータは徐々にトルクと回転数を増して行く。
【００６２】  巻枠の回転で見ると静止位置から微速で回転を始め次第に加速して静止位置の反対側で最高速度に達し減速しながら静止位置で停止する。  巻枠の回転と比例して案内板を上下させるために、巻枠を回転させる歯車に結合された歯車によって棒ネジを回転させ、棒ネジに取り付けられたメスネジ（ナットのようなボールネジ）を上下させ、これに巻線支持板と案内板を取り付ける。  静止位置の検出には寿命が長いこと、故障が無いこと、高温の絶縁油に耐えられること、の条件に合う高周波の誘導コイルを用いる。
【００６３】  巻枠の一部に金属片を埋め込み誘導コイルのリアクタンスの変化で静止位置の検出を行う。  配電線の電圧測定を各相それぞれ別に行い、各相別にモータを制御する。  制御の不感巾を１％、時定数を１０秒、程度に取るがマイコン等で動作頻度を計測し頻度が高ければ不感巾と時定数を自動的に大きくする。
【発明の効果】
【００６４】  内鉄形の鉄心の両脚に巻枠を設け巻枠から出た可変巻線は隙間なく隣の巻枠に入るので巻枠には常に可変巻線が無い部分が無く、可変巻線が隣の巻枠に移動すると電圧の極性が逆になり、電圧調整巾は２倍になるので、従来の可変巻数変圧器に比較して鉄心の量が１／２〜１／４となる効果がある。  鉄心が小さくなれば、銅も少なくなる効果がある。
【００６５】  左右２つの可変巻線を巻いた巻枠を同時に同じ方向に回転させ、巻枠から出た可変巻線は隙間なく隣の巻枠に入ること、２つの巻枠の可変巻線を支えるための突起の変圧器の中心線に最も近い部分が常に同じ水平線上にあること、可変巻線に帯状の導体を重ねあわせて使用すること、以上の３項目をすべて持つことが絶対条件であり、この項目の発明がすべて成されたことにより、大型の可変巻数形変圧器を製作し、これを用いた電圧調整機を製造できる効果がある。
【００６６】１、可変巻線の終端部が静止位置にある時、ブラシも静止位置であれば、巻枠のどの場所を静止位置にしてもよい。２、集電リングを使用する場合は２つのブラシの中間を上記のブラシの静止位置とする。  という２つの条件の発見により、右左２つの巻枠を同じ形で作ることが出来るようになり、巻枠に巻線がない部分が最小になるように設計することが出来るので、鉄心が最小になる効果がある。  これは輪形コイルの場合も同様である。
【００６７】  巻枠から電流を取り出す手段として火花を従来の１／４００〜１／１０００程度に抑える手段を２つ開発した。
【００６８】  第一の手段（輪形コイル）の効果を説明する。  従来２．６Ｖ、８７Ａのリアクトル電流をブラシやスイッチで開閉していたのに比較して０．００６５Ｖ、８７Ａの抵抗電流の開閉となりブラシの火花は従来の１／４００となる効果がある。
【００６９】  第二の手段（集電リング）の効果を説明する。この手段では先述の輪形コイルの代わりに一部を絶縁物とし、他の部分を導体とした集電リングを用いる。
【００７０】  従来機械的スイッチが１０Ｖ、８７Ａのリアクトル通過電流を直接開閉していたのに比較して本発明では小型変圧器の２次側を半導体スイッチにより開閉し、小型変圧器の励磁電流を補償してブラシの開閉電圧を２．６Ｖ、電流０．１Ａとした。
【００７１】  これにより従来のスイッチ開閉による火花と、本発明のブラシの通過によるブラシの火花を電圧電流の掛け算で考えると１／３３００、さらにリアクトルは抵抗より火花が１０倍大きくなるものとすると１／３３０００になる効果がある。  さらに従来の半導体スイッチによって変圧器のタップを切り替える方式が雷による短絡事故に半導体が弱かったのに対し、本発明では小さく安価な半導体スイッチを用いながら、雷や短絡電流対し充分安全率を持たせるともに、微小電流の通過も安定する効果がある。
【００７２】  巻枠は主に絶縁物であるため、その歯車に金属を用いて補強し、ローラーベアリングで回転を軽くし、衝撃を加えないで２つの巻枠を同じ力で回転させる機構を開発したので巻枠が壊れにくい効果がある。  配電線の電圧を各相別々に連続調整するので調整結果に段が無く、三相の電圧アンバランスも解消する効果がある。
【００７３】  損耗部分が少なく、可変巻線の屈伸による金属疲労も３０年以上の設計とし、大きさや重量も、他の可変巻数形変圧器関係の発明に比較して１／２〜１／４程度になる効果がある。
【発明を実施するための最良の形態】
【００７４】  以下本発明の実施の形態を図１〜図２２に基づいて説明する。  図１、２、３、４は本発明の可変巻数変圧器の基本原理を説明するための構造の略図で、輪形コイルを使用した例である。  これらは理解し易くするために、原理説明に直接関係のない部分は省略してある。  特に図４は可変巻線移動の原理を理解するための略図である。  図１は側面図、図２はＡ−Ａ断面図、図３は図１の側面図を透視して図１の裏側を図示したもので裏から見た側面図ではない。  図４は図１のＢ−Ｂ面の断面図である。【００７５】  図１〜図４を合わせて見ることにより、可変巻線左９と可変巻線右１０の通路、巻枠の構造を詳細に理解することが出来る。  輪形コイル２は巻枠３，４の上下に取り付けられ、巻枠３，４と共に回転する。  巻枠３，４にはそれぞれ可変巻線左９と可変巻線右１０が巻かれ、この巻線の端末はそれぞれ図１の輪形コイル２の静止位置７に接続してある。【００７６】  巻枠３，４を同時に同じ方向に回転させるとブラシ８は輪形コイル２に密着しながら電流を外部にとりだすと同時に可変巻線左９と可変巻線右１０が巻枠の間を相互に移動する。  上部絶縁物５と下部絶縁物６は主脚鉄心１に固定してあるが、図１〜４は略図のため可変巻線の移動の説明に必要な部分以外は省略してある。【００７７】  図２は主脚鉄心１に１次巻線１１と２次巻線１２を巻き、その外側に巻枠３、４があり、その外側に輪形コイル２を設置する構造を示す。  図１に示すように、上下２箇所の輪形コイル２の静止位置７、は縦方向の同じ位置にあり、上下２箇所のブラシも縦方向の同じ位置にあるように書いてある。  これは、説明を分かり易くするためで、実際には巻枠３、４を静止させた時、全てのブラシが静止位置（可変巻線端末）にあるようにすればブラシ位置は自由である。【００７８】  ブラシ８と静止位置７がどのような場所にあっても、巻枠３，４がどのような位置にあっても、巻枠３の突起３ａの右端と巻枠４の突起４ａの左端の位置は図１、３に示すように同じ水平線上にあることが必要である。  同じ水平線上に無ければ可変巻線左９と可変巻線右１０は枠３，４に入らなくなる。  図１と図３を見ると巻線の傾斜分だけ両者の位置が上下方向に変わらなければ可変巻線が巻枠に入らないように思われるが、可変巻線が巻枠に出入する場所は、可変巻線が膨らんで中心線より外側になり、巻枠３の右端の突起と巻枠４の左足の突起位置が各段において同じ水平線上にある場合のみ可変巻線が無理なく巻枠の間を移動できる。  以上で巻枠と可変巻線の移動の原理とブラシと静止位置の場所の説明を終わる。【００７９】  図５は磁束の方向と電圧の方向を示す原理図である。  図５は動作原理を説明するための原理図であり、可変巻線の移動を判り易くするために鉄心、１次巻線、２次巻線、巻枠、を省略して書いてある。  また、図５ではブラシ８と静止位置７は分かり易くするために全て前に書いているが、本物の可変巻数形電圧調整機では巻枠３、と巻枠４を同じ形にするため可変巻線９と可変巻線１０はブラシ８と静止位置７の位置が異なる。  しかし原理説明では同じことになるので図５のように全て前に書いた状態で説明する。【００８０】  図５の矢印は主脚の磁束と可変巻線の誘起��圧の方向を示す。  磁束の方向と電圧の方向を同じにするように可変巻線を巻いてあるとすれば、左側に巻かれた巻線は上方向のベクトルになり、右側に巻かれた巻線は下向きのベクトルの電圧となる。  これは、右巻線と左巻線が同じ巻方向に巻かれ、磁束の方向は主脚の右と左で逆になるためである。  図５は可変巻線左９が全て左にあり、可変巻線右が全て右にある状態であり、この誘起電圧を加算して端子１４と端子１３の間から取り出す。  枠を回転させて左巻線１２を右側へ、右巻線１３を左側へ巻き変えていくと端子１４と端子１５の間の電圧は減少しさらに回転すると逆方向になる。【００８１】  もしこの電圧が最大２００Ｖとすると、正方向と逆方向の電圧を出すことができることになり＋−２００Ｖの電圧変化となるので、図２に示す２次巻線の電圧を＋１００Ｖとすると、この電圧を直列に加算することになり、＋３００Ｖから−１００Ｖまでの電圧調整範囲となる。  図１、３，４，５では輪形（リング状）の鉄心に絶縁した電線を巻き、ブラシが接触する部分を裸導線にしたもの（以下輪形コイルと記す）を使用し、輪形コイルの裸の導電部からブラシで集電する例が記してあるが集電リングを使用しても同じである。【００８２】  次に第一の手段である輪形コイルの構造を図６と図７によって説明する。  図６は輪形コイル２とブラシ８、バイパスコイル１６、バイパス鉄心１７の側面図、図７は図６のＣ−Ｃ拡大断面図である。  輪形コイルはリング状の鉄心の外側にコイルをスパイラル状に巻き付けたもので、輪形コイルの巻線２１の外側に裸銅合金２２を用いる。  円形鉄心２０の断面積を第２図の（主脚鉄心１の断面積）÷輪形コイルの巻数とすると両者の磁束密度は等しくなる。【００８３】  輪形コイルの円形鉄心２０の周囲は、絶縁物１９で絶縁されており、銅合金２２の部分は直流電動機の整流子のような構造になっている。  円形鉄心２０は主脚鉄心１に巻かれたコイルと同じように電圧を発生するので、鉄心を適当に切断して絶縁し、円形鉄心２０が発生する電圧を短絡しないように絶縁する。  円形鉄心２０を切断しない場合は、円形鉄心２０を主脚１に巻かれた巻線と考えて円形鉄心の周囲を全て絶縁し耐圧を充分にする必要がある。【００８４】  円形鉄心２０に用いられる珪素鋼板の厚さを増せば、鉄心の巻数が減少し鉄心の渦流損は多くなるが絶縁は容易になる。  円形鉄心２０にダストコア（鉄粉を接着材とともに圧縮成型したもの）を用いればこの問題は解決するが、最大許容磁束密度が高いものは電気抵抗が低くなり渦流損が大きくなる傾向がある。  輪形コイルの巻線は２つに分割された部品を組み合わせ結合し、圧縮や半田付け等によりスパイラル状に巻きつけたコイルに仕上げる。  輪形コイル２は巻き始めと巻き終わりが接続されているので、銅合金２２は隣との間に電位差がないように思えるが、実際には主脚鉄心１の磁束が中を通るので電位差が出る。【００８５】  ブラシ８は銅合金２２の隣の電位差（０．０６５Ｖ程度）を短絡するので短絡電流が流れるとともに、円形鉄心２０の磁束を打ち消して磁束の流れを遮断する。  これを防ぐために図６に示すようにブラシ８の近くにバイパス鉄心１７を設け、輪形コイル２の磁束はバイパス鉄心１７を通って���た輪形コイル２に戻すようにする。  円形鉄心２０を通る磁束をバイパス鉄心１７にバイパスし、ブラシ８の付近の隣の導体の間の電位差をゼロしでブラシ８の火花を防ぐ。【００８６】  この時、輪形コイルの円形鉄心２０とバイパス鉄心１７との間に鉄が無いため磁気抵抗が大きくなり、磁束が完全にバイパスしないことを防ぐために、バイパスコイル１６に電流を流して、強制的に輪形コイル２の磁束をバイパス鉄心１７に通過させ磁気抵抗の影響をなくする。  図６に静止位置７とあるのは、輪形コイル２の一部に幅の広い導電部分を設けたもので可変巻線９、１０の端末を輪形コイルに接続し、常時はブラシ８をこの静止位置７に停止させ、バイパスコイル１６に流れる電流を切りバイパス鉄心１７の磁束を０にして、バイパス部分の電力損失をゼロにする。【００８７】  静止位置７の導電部は１回巻のコイルになって、円形鉄心２０磁束の通過を妨げないように切断部分を作り絶縁する。  図７のバイパス磁束が通るところは過流損が発生するので磁束が通る部分の導体はすべて縦に細かく切断し、負荷電流を流しながら、バイパス磁束を通して過流損を少なくする。  次に第二の手段（集電リング）について記す。  集電リングは一部を絶縁物とし、他の部分を導体としたもので、集電リングの構造及び付属する電気回路を図８、９、１０、１１、１２，１３によって説明する。【００８８】  図８に示すように絶縁物２９と導電部３０によって作られた集電リングに２個のブラシの組（以下本文では２個のブラシの組をブラシ組と記す）２５，２６を接触させ、通常は両方のブラシ組２５，２６が導体部３０に接触し可変巻線の巻数が変わる部分ではブラシ組２５，２６の内片側が絶縁物２９を通過し、他方のブラシは導体部３０に接触する。  集電リングの絶縁部２９の反対側には可変巻線の接続部３１があり、ここが静止位置となる。【００８９】  図９はブラシ組２５の構造を詳細に示す拡大図である。  ブラシ組２５の接触部は外側をカーボン３８、中を銀３７で作り銀の部分で導電性を、カーボンの部分で火花による損傷の低減する性質をもたせ、絶縁油の中で集電リングと滑らかに接触し集電リングを磨耗させないようにする。  バネ３６はブラシ組２５、２６、の銀３７とカーボン３８が磨耗しても常に集電リングと充分な接触圧力を持つようにするもので、編素線３５と端子用ボルト３３を通してＡＭＰ端子３４に電流を流す。【００９０】  図１０はブラシ接触部の拡大断面図である。  図１１は図１０のブラシ接触面を上から見た図である。  これらの図に示すように集電リングの絶縁物２９と導電部３０との境には斜めに傾斜した溝４２を付けて両者の間に段差が出来てもブラシが通過できるようにする。  絶縁物２９と導電部３０の接合は困難であるが、組み合わせ結合４０を用いて組み立てた後、ボルト４１で接着材とともに締め付けて止める。  その後、機械加工して表面や溝を滑らかに仕上げる。【００９１】  図１２はブラシ組２５，２６の片方が集電リングの絶縁物を通過する前に直列に接続されたほうのスイッチＳ１またはＳ２を開いてブラシに電流を流さないようにしてブラシの火花による損傷を防ぐ回路である。  可変巻線形変圧器の定格を仮に６６００Ｖ、１０００ＫＶＡ、定格��流８７Ａ、とすると、通常状態（静止状態）ではブラシ組２５，２６にそれぞれ約４４Ａの電流が流れる。【００９２】  図１３は図１２のスイッチＳ１、Ｓ２の内部を示す詳細回路図である。  スイッチＳ１、Ｓ２が開閉する電圧は可変巻数変圧器１回巻あたりの電圧、２．６Ｖ程度、電流は定格電流の半分、４４Ａ程度であるが、これを市販の半導体スイッチで開閉しやすいように、また対地電位を１００Ｖ程度にするため小型変圧器Ｔ１、Ｔ２によって１００Ｖ、１．１Ａに変換する。  １００Ｖ側にはＳＣＲ１、ＳＣＲ２、Ｃ３、Ｒ３、Ｃ４、Ｒ４を図１３の通り接続し、ＳＣＲ１、ＳＣＲ２を開閉して図１２に示すスイッチＳ１、Ｓ２を開閉する  図１３では半導体スイッチにＳＣＲを用いているが、どのような素子を用いてもよい。【００９３】  ＳＣＲを用いる場合は２つの１６００Ｖ、３０ＡのＳＣＲを逆並列にして用い、保持電流が１０ｍＡ程度なので、ゲートには常時２０ｍＡ程度の直流電流を流し保持電流をゼロにする。  後述のモータの電源も含めて電源異常の瞬間から３秒間安定電源を供給するため、大容量のコンデンサに常時電力を蓄積し、インバータで定電圧に変換して使用する。【００９４】  このままでは小型変圧器の励磁電流が２．６Ｖの巻線に２．５Ａ程度流れるので、励磁電流の無効分をコンデンサＣ１、Ｃ２、Ｃ３、Ｃ４で吸収し有効分を２５Ｖの巻線に１００Ｖ電源から強制的に電流を流して補償し、励磁電流２．５Ａを０．１Ａ程度に軽減する。  抵抗Ｒ１、Ｒ２は電力損失を発生するのでリアクトルに置き換え、１００Ｖ電源の大きさと位相角を調整して有効分を補償することも出来る。  以上により常時ブラシが開閉するのは２．６Ｖ、０．１Ａ程度になるので火花による損傷は少ない。【００９５】  図１４は巻枠を回転する速度と回転角度の関係を示すグラフである。  この図において、回転角度０度と３６０度の位置は同じ場所であり、ここは輪形コイルの場合はブラシ静止位置であり、集電リングの場合は図８に示す可変巻線の接続部３１が静止位置となり、静止状態ではブラシ組２５，２６の中間が静止位置の中央となる。【００９６】  この静止位置から図に示すように時間が経過するに従ってサイン曲線状に回転速度を上げ、１８０度付近で最高速度に達し、サイン曲線状に減速し、誘導コイルで検出した静止位置で静止する。  連続的に回転する場合は最高速度のまま回転し停止する時はサイン曲線状に減速し停止する。  次に１例として６６００Ｖ、８７Ａ、電圧上昇３００Ｖ、電圧降下１００Ｖ、容量１０００ＫＶＡの可変巻線形変圧器の製作図を図１５、１６、１７、１８、１９、２０、２１、２２により各方向から図示したものを説明する。【００９７】  この製作図はそのまま図面どおり製作するための図面であり、動作原理の理解には適当でないが、発明が容易に製作出来ることの証明と、細部に亘って設計して発明の欠点を調べ、問題をすべて解決できることを確認するためのものである。  これらの図は絶縁油の中で使用され、６６００Ｖの電圧が加わる場所は最小２１ｍｍの対地絶縁距離があり、可変巻線は１平方ｍｍあたり２．２Ａとしている。  図１５、１６は主脚鉄心１の脚が横に並んだ場所から見た断面図で、図１５はＥ−Ｅ断面図、図１６は���−Ｄ断面図である。  これらの図は歯車断面を側面図のように描いてあるが、これは図面を理解し易くするためである。【００９８】  図１５、１６において、内鉄形の主脚鉄心１の両脚に１次巻線１１、２次巻線１２、を巻き付けその外に巻枠３，４がある。  巻枠３，４の突起３ａ、４ａが作る溝の中には可変巻線左９、可変巻線右１０が収納してあり、巻枠３，４を回転すると、可変巻線は案内板４４を通ってそれぞれ別の巻枠３，４に巻き替えられる。  図１５，１６、１７，１８では集電リング４８を使用した例を示すもので、輪形コイルを使用しても同じである。  集電リング４８は、巻枠３，４の上下に１個ずつ、計４個取り付けてあり、絶縁リング４９で巻枠３，４に固定する。  取り付け金物５０は主脚鉄心１に太いボルトで強く締め付け固定してあり、巻枠３，４や歯車群、モータ、等を取り付ける。  図１７、１８は主脚鉄心１の脚が縦に並んだ場所から見た断面図で、図１７はＧ−Ｇ断面図、図１８はＦ−Ｆ断面図である。  図１８の拡大図に示すように可変巻線は８枚の導体が密着している場合は幅９〜７ｍｍ、厚さ４ｍｍ、断面積３２ｓｑ（平方ｍｍ）の台形で、燐脱酸素銅板を使用し許容電流は８７Ａである。【００９９】  ここで台形にした理由は、巻枠３，４に可変巻線が入りやすくまた、巻枠３，４の可変巻線を収納する溝の突起３ａ，４ａの根元を大きくし強度を強くするためである。  下の絶縁リング４９の上部は絶縁材料を用いて耐圧をもたせ、下部に金属の歯車Ｇ９とローラーベアリング４７用の金属を一体にしたものを嵌め込んでボルトで止めて絶縁材料で出来た巻枠が機械的に弱い欠点を無くしている。  上の絶縁リング４９には大きな重量が掛からないので、絶縁物だけで対応している。【０１００】  図１５ではブラシが断面Ｇ−Ｇの上には無いので記入してないが、図１７ではわかり易くするために、集電リング４８に使用するブラシの位置５３，５４，５５、５６が記入してある。  集電リング４８の代わりに輪形コイル２を用いる場合はこのブラシ位置はブラシ組の中間に１箇所となる。  図１８の棒ネジ４５、４６の位置は正確には断面線Ｆ−Ｆから外れているが、理解しやすくするために側面図として描いてある。【０１０１】  可変巻線９、１０は巻枠の中で交差しているので、図１８の断面線Ｇ−Ｇは水平ではない。  ボールナット５７は支持板５２を上下させ可変巻線を持ち上げて巻枠３，４に可変巻線が入る時下部で曲がらないようにする。  支持板５７に取り付けられた案内板４４は可変巻線を決められた場所に案内し、短絡事故によって流れる５０００Ａ程度の短絡電流による可変巻線の外に膨らむ力を受け止める。  この力を棒ネジ４５だけで受け止めると弱いので絶縁棒５１によって２つの支持板５２を結合し力を相殺して受け止める。【０１０２】  図１９は図１８の下部を取り出した図で、図２０，２１との位置関係を示す。  図２０，２１は歯車の配置とかみ合わせを示す。  これらの図において、モータＭ１、Ｍ２が回転すると歯車Ｇ１、Ｇ５を通して歯車Ｇ２、Ｇ４が回転し、これの回転がスプリングＳＰを通して歯車Ｇ７、Ｇ１０に伝わり、歯車Ｇ９により、巻枠３、４を回転させると同時に歯車Ｇ８、Ｇ１１を通して棒ネジ４５、４６を回転させ���ボールナット５７を上下させる。  図２１の歯車Ｇ８、Ｇ１１、Ｇ１３、Ｇ１５、はそれぞれ棒ネジ４５を回転させるので３本の棒ネジの組を２組、計６本の棒ネジ４５を回転させる。【０１０３】  歯車Ｇ６、Ｇ１２、Ｇ１４は不要のようにみえるが、２台以上のモータを使用すると巻枠３，４の回転位置がずれる恐れがあるのでこれらの歯車で回転位置を一致させるものである。  歯車Ｇ９は主脚１の磁束が貫通するのでどこか１箇所切断し絶縁して１回巻きのコイルにならないようにする。  すべてのローラーベアリング４７も同様である。  歯車Ｇ９の下側はローラーベアリング４７の金属部を兼ねている。  上側の絶縁リング４９の上部の周辺に誘導コイル５８を多数取り付けて、静止位置や高速回転の場所を検出する。【０１０４】  誘導コイルの代わりに機械的スイッチや光電スイッチ、リードスイッチを磁気で開閉するもの、ホール効果素子を使用するもの、等が考えられるが、高温の絶縁油の中で３０年以上故障なしに使用できるものは、誘導コイル５８である。  図２２は図１８を拡大したもので、図１８では分かり難い細部が分かり易くなる。【０１０５】  巻枠３が左から右に向かって回転しているものとして、可変巻線左９はＰ１の点で集電リング４８に終端部を接続され、ここから巻枠３に入り巻枠３の表を通って（図２２では表を通る可変巻線を１点鎖線で示す）から裏を通って（図２２では裏を通る可変巻線を点線で示す）１段上がった所に入る。【０１０６】  このようにして１段ずつ巻かれた可変巻線左９はＰ２の点で巻枠３から離れ巻枠４に入る。  可変巻線１０はＰ３の点で巻枠３に入り巻枠３の表を通ってから裏を通って１段上がった所に入る。  このようにして巻かれた可変巻線１０の終端はＰ４の点で集電リング４８に接続される。巻枠３，４が静止した時、可変巻線の終端が集電リング４８に接続される場所に２つのブラシの中間があるようブラシの設置場所を決める。  巻枠３、４、絶縁リング４９、取り付け金物５０、には適当に穴をあけ、絶縁油の通り道を確保する。
【図面の簡単な説明】
【０１０７】
【図１】本発明の可変巻数変圧器の構造の一部を示す巻線の原理を示す側面図
【図２】本発明の図１のＡ−Ａ断面図
【図３】本発明の図１の裏側を示す透視図
【図４】図１のＢ−Ｂ断面図
【図５】本発明の可変巻数変圧器の磁束の方向と電圧誘起の方向を示す原理図
【図６】同変圧器の巻枠の上下に取り付ける集電手段の内、輪形コイルの側面図
【図７】同図６のＣ−Ｃ断面図
【図８】同変圧器の巻枠の上下に取り付ける集電手段の内、集電リングの断面図
【図９】同集電リングに用いられるブラシ組２５の拡大図
【図１０】同ブラシ組２５の拡大図の内、さらにブラシ接触部分を取り出した拡大断面図
【図１１】同ブラシ接触部分を上から見た図
【図１２】集電リングのブラシの電流を切るスイッチの原理図
【図１３】同電流を切るスイッチの詳細回路図
【図１４】本発明の可変巻数変圧器の巻枠の回転角度と回転速度の関係を示す曲線
【図１５】本発明の可変巻数変圧器の実施例を示す図１６のＥ−Ｅ断面図
【図１６】同図１５のＤ−Ｄ断面図
【図１７】同図１８のＧ−Ｇ断面図
【図１８】同図１７のＦ−Ｆ断面図
【図１９】同図１７のＦ−Ｆ断面図の下部を示す図
【図２０】同図１９のＩ−Ｉ断面図
【図２１】同図１９のＨ−Ｈ断面図
【図２２】同図１６の拡大図
【符号の説明】
【０１０８】１                      主脚鉄心２                      輪形コイル３、４                  巻枠５                      上部絶縁物６                      下部絶縁物７                      静止位置８                      ブラシ９                      可変巻線左１０                    可変巻線右１１                    １次巻線１２                    ２次巻線１３                    電線１４                    端子１５                    端子１６                    バイパスコイル１７                    バイパス鉄心１８                    隣の巻線への移動断面１９                    絶縁物２０                    円形鉄心２１                    輪形コイルの巻線２２                    銅合金２３                    シールドの切断面２４                    シールド２５、２６              ブラシ組２７                    固定金具２８                    絶縁物２９                    絶縁物３０                    集電リングの導電部３１                    可変巻線の接続部３２                    端子用ナット３３                    端子用ボルト３４                    ＡＭＰ端子３５                    編素線３６                    バネ３７                    銀３８                    カーボン３９                    枠４０                    組み合わせ結合４１                    ボルト４２                    溝４３                    ブラシの接触面４４                    案内板４５、４６              棒ネジ４７                    ローラーベアリング４８                    集電リング４９                    絶縁リング５０                    取り付け金物５１                    絶縁棒５２                    支持板５３、５４、５５、５６  ブラシの位置５７                    ボールナット５８                    誘導コイルＲ１・・・Ｒ４          抵抗Ｃ１・・・Ｃ４          コンデンサＴ１、Ｔ２              小型変圧器ＳＣＲ                  サイリスタＧ１・・・Ｇ１５        歯車ＳＰ                    バネＭ１、Ｍ２              モータ
【図１】
2011018867.tif 000003
【図２】
2011018867.tif 000004
【図３】
2011018867.tif 000005
【図４】
2011018867.tif 000006
【図５】
2011018867.tif 000007
【図６】
2011018867.tif 000008
【図７】
2011018867.tif 000009
【図８】
2011018867.tif 000010
【図９】
2011018867.tif 000011
【図１０】
2011018867.tif 000012
【図１１】
2011018867.tif 000013
【図１２】
2011018867.tif 000014
【図１３】
2011018867.tif 000015
【図１４】
2011018867.tif 000016
【図１５】
2011018867.tif 000017
【図１６】
2011018867.tif 000018
【図１７】
2011018867.tif 000019
【図１８】
2011018867.tif 000020
【図１９】
2011018867.tif 000021
【図２１】
2011018867.tif 000022
【図２２】
2011018867.tif 000023
【手続補正書】
【提出日】平成21年9月7日(2009.9.7)
【手続補正１】
【補正対象書類名】明細書
【補正対象項目名】００７７
【補正方法】変更
【補正の内容】
【００７７】  図２は図１のＡ−Ａ断面図で、主脚鉄心１に１次巻線１１と２次巻線１２を巻き、その外側に巻枠３、４があり、その外側に輪形コイル２を設置する構造を示す。
図１に示すように、上下２箇所の輪形コイル２の静止位置７、は縦方向の同じ位置にあり、上下２箇所のブラシも縦方向の同じ位置にあるように書いてある。
これは、説明を分かり易くするためで、実際には巻枠３、４を静止させた時、全てのブラシが静止位置（可変巻線端末）にあるようにすればブラシ位置は自由である。
【手続補正２】
【補正対象書類名】明細書
【補正対象項目名】００７８
【補正方法】変更
【補正の内容】
【００７８】  図３は図１の表側から裏側を透視した図で、通常の裏から見た図を左右反対にしたもので、図１と合わせて可変巻線の通過位置を理解するためのものである。図１と図３を見ると巻線の傾斜分だけ両者の位置が上下方向に変わらなければ可変巻線が巻枠に入らないように思われるが、可変巻線が巻枠に出入する場所は、可変巻線が膨らんで中心線より外側になり、巻枠３の右端の突起と巻枠４の左足の突起位置が各段において同じ水平線上にある場合のみ可変巻線が無理なく巻枠の間を移動できる。
以上で巻枠と可変巻線の移動の原理とブラシと静止位置の場所の説明を終わる。
【手続補正３】
【補正対象書類名】明細書
【補正対象項目名】００８１
【補正方法】変更
【補正の内容】
【００８１】  もしこの電圧が最大２００Ｖとすると、正方向と逆方向の電圧を出すことができることになり＋−２００Ｖの電圧変化となるので、図２に示す２次巻線１２の電圧を＋１００Ｖとすると、この電圧を直列に加算することになり、＋３００Ｖから−１００Ｖまでの電圧調整範囲となる。
図１、３，４，５では輪形（リング状）の鉄心に絶縁した電線を巻き、ブラシが接触する部分を裸導線にしたもの（以下輪形コイルと記す）を使用し、輪形コイルの裸の導電部からブラシで集電する例が記してあるが集電リングを使用しても同じである。
【手続補正４】
【補正対象書類名】明細書
【補正対象項目名】０１０１
【補正方法】変更
【補正の内容】
【０１０１】  可変巻線９、１０は巻枠の中で交差しているので、図１８の断面線Ｇ−Ｇは水平ではない。
ボールナット５７は支持板５２を上下させ可変巻線を持ち上げて巻枠３，４に可変巻線が入る時下部で曲がらないようにする。
支持板５２に取り付けられた案内板４４は可変巻線を決められた場所に案内し、短絡事故によって流れる５０００Ａ程度の短絡電流による可変巻線の外に膨らむ力を受け止める。
この力を棒ネジ４５だけで受け止めると弱いので絶縁棒５１によって２つの支持板５２を結合し力を相殺して受け止める。
【手続補正５】
【補正対象書類名】明細書
【補正対象項目名】０１０６
【補正方法】変更
【補正の内容】
【０１０６】  このようにして１段ずつ巻かれた可変巻線左９はＰ２の点で巻枠３から離れ図１６に示す巻枠４に入る。
可変巻線１０はＰ３の点で巻枠４から巻枠３に入り、巻枠３の表を通ってから裏を通って１段上がった所に入る。
このようにして巻かれた可変巻線１０の終端はＰ４の点で集電リング４８に接続される。
巻枠３，４が静止した時、可変巻線１０の終端が集電リング４８に接続される場所に２つのブラシの中間があるようブラシの設置場所を決める。
巻枠３、４、絶縁リング４９、取り付け金物５０、には適当に穴をあけ、絶縁油の通り道を確保する。
【手続補正６】
【補正対象書類名】明細書
【補正対象項目名】０１０７
【補正方法】変更
【補正の内容】
【０１０７】
【図面の簡単な説明】
【図１】  本発明の可変巻数変圧器の構造の一部を示す巻線の原理を示す側面図
【図２】  本発明の図１のＡ−Ａ断面図
【図３】  本発明の図１の裏側を示す透視図
【図４】  図１のＢ−Ｂ断面図
【図５】  本発明の可変巻数変圧器の磁束の方向と電圧誘起の方向を示す原理図
【図６】  同変圧器の巻枠の上下に取り付ける集電手段の内、輪形コイルとバイパスコイルの側面図
【図７】  同図６のＣ−Ｃ断面図
【図８】  同変圧器の巻枠の上下に取り付ける集電手段の内、集電リングとブラシ組の断面図
【図９】  同集電リングに用いられるブラシ組２５と集電リングの拡大図
【図１０】  同ブラシ組２５の拡大図の内、さらにブラシ接触部分を取り出した拡大断面図
【図１１】  同ブラシ接触部分を上から見た図
【図１２】  集電リングのブラシの電流を切るスイッチの原理図
【図１３】  同電流を切るスイッチの詳細回路図
【図１４】  本発明の可変巻数変圧器の巻枠の回転角度と回転速度の関係を示す曲線
【図１５】  本発明の可変巻数変圧器の実施例を示す図１６のＥ−Ｅ断面図
【図１６】  同図１５のＤ−Ｄ断面図
【図１７】  同図１８のＧ−Ｇ断面図
【図１８】  同図１７のＦ−Ｆ断面図
【図１９】  同図１７のＦ−Ｆ断面図の下部を示す図
【図２０】  同図１９のＩ−Ｉ断面図
【図２１】  同図１９のＨ−Ｈ断面図
【図２２】  同図１６の拡大図
【手続補正７】
【補正対象書類名】明細書
【補正対象項目名】０１０８
【補正方法】変更
【補正の内容】
【０１０８】１          主脚鉄心
２          輪形コイル
３，４      巻枠
３ａ、４ａ  巻枠３，４の可変巻線を収納する溝の突起
５          上部絶縁物
６          下部絶縁物
７          静止位置
８          ブラシ
９          可変巻線左
１０        可変巻線右
１１        １次巻線
１２        ２次巻線
１３        電線
１４        端子
１５        端子
１６        バイパスコイル
１７        バイパス鉄心
１８        輪形コイルの隣の巻線への移動断面
１９        絶縁物
２０        円形鉄心
２１        輪形コイルの巻線
２２        銅合金
２３        シールドの切断面
２４        シールド
２５，２６  ブラシ組
２７        固定金具
２８        絶縁物
２９        絶縁物
３０        集電リングの導電部
３１        可変巻線の接続部
３２        端子用ナット
３３        端子用ボルト
３４        ＡＭＰ端子
３５        編素線
３６        バネ
３７        銀
３８        カーボン
３９        枠
４０        組み合わせ結合
４１        ボルト
４２        溝
４３        ブラシの接触面
４４        案内板
４５，４６  棒ネジ
４７        ローラーベアリング
４８        集電リング
４９        絶縁リング
５０        取り付け金物
５１        絶縁棒
５２        支持板
５３，５４，５５，５６    ブラシの位置
５７        ボールナット
５８        誘導コイル
Ｒ１・・・Ｒ４    抵抗
Ｃ１・・・Ｃ４    コンデンサ
Ｔ１、Ｔ２  小型変圧器
ＳＣＲ      サイリスタ
Ｇ１・・・Ｇ１５    歯車
ＳＰ        バネ
Ｍ１、Ｍ２  モータ
【手続補正８】
【補正対象書類名】図面
【補正対象項目名】全図
【補正方法】変更
【補正の内容】
【図１】
2011018867.tif 000024
【図２】
2011018867.tif 000025
【図３】
2011018867.tif 000026
【図４】
2011018867.tif 000027
【図５】
2011018867.tif 000028
【図６】
2011018867.tif 000029
【図７】
2011018867.tif 000030
【図８】
2011018867.tif 000031
【図９】
2011018867.tif 000032
【図１０】
2011018867.tif 000033
【図１１】
2011018867.tif 000034
【図１２】
2011018867.tif 000035
【図１３】
2011018867.tif 000036
【図１４】
2011018867.tif 000037
【図１５】
2011018867.tif 000038
【図１６】
2011018867.tif 000039
【図１７】
2011018867.tif 000040
【図１８】
2011018867.tif 000041
【図１９】
2011018867.tif 000042
【図２０】
2011018867.tif 000043
【図２１】
2011018867.tif 000044
【図２２】
2011018867.tif 000045
【手続補正書】
【提出日】平成22年2月9日(2010.2.9)
【手続補正１】
【補正対象書類名】特許請求の範囲
【補正対象項目名】全文
【補正方法】変更
【補正の内容】
【特許請求の範囲】
【請求項１】
内鉄形変圧器の左右２本の主脚鉄心にそれぞれ固定巻線を巻き、固定巻線の外側にそれぞれ回転可能な左右２本の巻枠を有し、左右２本の巻枠の上下には巻枠に固定した歯車を有し、この歯車をモータの歯車に結合して巻枠を同じ方向に回転させる機構と、左側の巻枠の可変巻線を右側の巻枠に巻き取ると同時に、右側の巻枠の可変巻線を左側の巻枠に巻き取り、お互いに巻き解いた巻枠の跡に巻線を巻き取る構造の巻枠と可変巻線を有し、かつ、可変巻線は帯状の導体を６〜１５枚重ねたものであることを特徴とする、可変巻数変圧器の巻線と巻線の移動機構
【請求項２】
輪形の鉄心に絶縁したコイルを巻き付け、コイルにブラシが接触する面の絶縁を除き導電部とし、コイルの導電部に接触する位置にブラシを取り付け、コイルの一部に他の導電部より広い導電部を設け、この広い導電部に、コイルの巻始め、及び、巻終わり、及び、可変巻線の終端を接続する構造を有し、
かつ、上記の構造を巻枠の上下に設置し、ブラシを電源に接続し、広い導電部を静止位置とし、常時はこの静止位置にブラシが接触した状態で巻枠を静止させ、巻枠を回転する場合は早く回転し、静止位置で停止する駆動機構を有することを特徴とする、可変巻数変圧器に用いる輪形コイルとブラシの構造及びその駆動機構。
【請求項３】
円筒形のリングの一部を絶縁部とし、他の部分を導電部とした構造の集電リングを有し、集電リングに接触する位置にブラシ２組を有し、それぞれのブラシと電源の間に小型変圧器の１次側巻線を接続し、２次側の巻線に半導体スイッチを接続する回路を有し、さらに集電リングの絶縁部より１８０度の位置の導電部を静止位置とし、ここに可変巻線の終端を接続こと。
上記の構造を巻枠の上下に設置し、常時は静止位置にブラシが接触した状態で巻枠が静止し、巻枠を回転する時は早く回転し、静止位置で停止する駆動機構を有することを特徴とする、可変巻数変圧器に用いる集電リングに接続する電気回路とその駆動機構。
【手続補正２】
【補正対象書類名】明細書
【補正対象項目名】００７７
【補正方法】変更
【補正の内容】
【００７７】  図２は図１のＡ−Ａ断面図で、主脚鉄心１に１次巻線１１と２次巻線１２を巻き、その外側に巻枠３、４があり、その外側に輪形コイル２を設置する構造を示す。
図１に示すように、上下２箇所の輪形コイル２の静止位置７、は縦方向の同じ位置にあり、上下２箇所のブラシも縦方向の同じ位置にあるように書いてある。
これは、説明を分かり易くするためで、実際には巻枠３、４を静止させた時、全てのブラシが静止位置（可変巻線端末）にあるようにすればブラシ位置は自由である。
【手続補正３】
【補正対象書類名】明細書
【補正対象項目名】００７８
【補正方法】変更
【補正の内容】
【００７８】  ブラシ８と静止位置７がどのような場所にあっても、巻枠３，４がどのような位置にあっても、巻枠３の突起３ａの右端と巻枠４の突起４ａの左端の位置は図１、３に示すように同じ水平線上にあることが必要である。
同じ水平線上に無ければ可変巻線左９と可変巻線右１０は枠３，４に入らなくなる。
図３は図１を透視した図で、図１と図３を見ると巻線の傾斜分だけ両者の位置が上下方向に変わらなければ可変巻線が巻枠に入らないように思われるが、可変巻線が巻枠に出入する場所は、可変巻線が膨らんで中心線より外側になり、巻枠３の右端の突起と巻枠４の左足の突起位置が各段において同じ水平線上にある場合のみ可変巻線が無理なく巻枠の間を移動できる。
以上で巻枠と可変巻線の移動の原理とブラシと静止位置の場所の説明を終わる。
【手続補正４】
【補正対象書類名】明細書
【補正対象項目名】００８１
【補正方法】変更
【補正の内容】
【００８１】  もしこの電圧が最大２００Ｖとすると、正方向と逆方向の電圧を出すことができることになり＋−２００Ｖの電圧変化となるので、図２に示す２次巻線１２の電圧を＋１００Ｖとすると、この電圧を直列に加算することになり、＋３００Ｖから−１００Ｖまでの電圧調整範囲となる。
図１、３，４，５では輪形（リング状）の鉄心に絶縁した電線を巻き、ブラシが接触する部分を裸導線にしたもの（以下輪形コイルと記す）を使用し、輪形コイルの裸の導電部からブラシで集電する例が記してあるが集電リングを使用しても同じである。
【手続補正５】
【補正対象書類名】明細書
【補正対象項目名】０１０１
【補正方法】変更
【補正の内容】
【０１０１】  可変巻線９、１０は巻枠の中で交差しているので、図１８の断面線Ｇ−Ｇは水平ではない。
ボールナット５７は支持板５２を上下させ可変巻線を持ち上げて巻枠３，４に可変巻線が入る時下部で曲がらないようにする。
支持板５２に取り付けられた案内板４４は可変巻線を決められた場所に案内し、短絡事故によって流れる５０００Ａ程度の短絡電流による可変巻線の外に膨らむ力を受け止める。
この力を棒ネジ４５だけで受け止めると弱いので絶縁棒５１によって２つの支持板５２を結合し力を相殺して受け止める。
【手続補正６】
【補正対象書類名】明細書
【補正対象項目名】０１０６
【補正方法】変更
【補正の内容】
【０１０６】  このようにして１段ずつ巻かれた可変巻線左９はＰ２の点で巻枠３から離れ図１６に示す巻枠４に入る。
可変巻線１０はＰ３の点で巻枠４から巻枠３の表を通ってから裏を通って１段上がった所に入る。
このようにして巻かれた可変巻線１０の終端はＰ４の点で集電リング４８に接続される。
巻枠３，４が静止した時、可変巻線の終端が集電リング４８に接続される場所に２つのブラシの中間があるようブラシの設置場所を決める。
巻枠３、４、絶縁リング４９、取り付け金物５０、には適当に穴をあけ、絶縁油の通り道を確保する。
【手続補正７】
【補正対象書類名】明細書
【補正対象項目名】０１０７
【補正方法】変更
【補正の内容】
【０１０７】
【図面の簡単な説明】
【図１】  本発明の可変巻数変圧器の構造の一部を示す巻線の原理を示す側面図
【図２】  本発明の図１のＡ−Ａ断面図
【図３】  本発明の図１の裏側を示す透視図
【図４】  図１のＢ−Ｂ断面図
【図５】  本発明の可変巻数変圧器の磁束の方向と電圧誘起の方向を示す原理図
【図６】  同変圧器の巻枠の上下に取り付ける集電手段の内、輪形コイルとバイパスコイルの側面図
【図７】  同図６のＣ−Ｃ断面図
【図８】  同変圧器の巻枠の上下に取り付ける集電手段の内、集電リングとブラシ組の断面図
【図９】  同集電リングに用いられるブラシ組２５と集電リングの拡大図
【図１０】  同ブラシ組２５の拡大図の内、さらにブラシ接触部分を取り出した拡大断面図
【図１１】  同ブラシ接触部分を上から見た図
【図１２】  集電リングのブラシの電流を切るスイッチの原理図
【図１３】  同電流を切るスイッチの詳細回路図
【図１４】  本発明の可変巻数変圧器の巻枠の回転角度と回転速度の関係を示す曲線
【図１５】  本発明の可変巻数変圧器の実施例を示す図１６のＥ−Ｅ断面図
【図１６】  同図１５のＤ−Ｄ断面図
【図１７】  同図１８のＧ−Ｇ断面図
【図１８】  同図１７のＦ−Ｆ断面図
【図１９】  同図１７のＦ−Ｆ断面図の下部を示す図
【図２０】  同図１９のＩ−Ｉ断面図
【図２１】  同図１９のＨ−Ｈ断面図
【図２２】  同図１６の拡大図
【手続補正８】
【補正対象書類名】明細書
【補正対象項目名】０１０８
【補正方法】変更
【補正の内容】
【０１０８】
【符号の説明】
１            主脚鉄心
２            輪形コイル
３、４        巻枠
３ａ、４ａ    巻枠３，４の可変巻線を収納する溝の突起
５            上部絶縁物
６            下部絶縁物
７            静止位置
８            ブラシ
９            可変巻線左
１０          可変巻線右
１１          １次巻線
１２          ２次巻線
１３          電線
１４          端子
１５          端子
１６          バイパスコイル
１７          バイパス鉄心
１８          輪形コイルの隣の巻線への移動断面
１９          絶縁物
２０          円形鉄心
２１          輪形コイルの巻線
２２          銅合金
２３          シールドの切断面
２４          シールド
２５、２６    ブラシ組
２７          固定金具
２８          絶縁物
２９          絶縁物
３０          集電リングの導電部
３１          可変巻線の接続部
３２          端子用ナット
３３          端子用ボルト
３４          ＡＭＰ端子
３５          編素線
３６          バネ
３７          銀
３８          カーボン
３９          枠
４０          組み合わせ結合
４１          ボルト
４２          溝
４３          ブラシの接触面
４４          案内板
４５、４６    棒ネジ
４７          ローラーベアリング
４８          集電リング
４９          絶縁リング
５０          取り付け金物
５１          絶縁棒
５２          支持板
５３、５４、５５、５６    ブラシの位置
５７          ボールナット
５８          誘導コイル
Ｒ１・・・Ｒ４    抵抗
Ｃ１・・・Ｃ４    コンデンサ
Ｔ１、Ｔ２    小型変圧器
ＳＣＲ        サイリスタ
Ｇ１・・・Ｇ１５    歯車
ＳＰ          バネ
Ｍ１、Ｍ２    モータ
【手続補正書】
【提出日】平成22年8月3日(2010.8.3)
【手続補正１】
【補正対象書類名】特許請求の範囲
【補正対象項目名】全文
【補正方法】変更
【補正の内容】
【特許請求の範囲】
【請求項１】
内鉄形変圧器の左右２本の主脚鉄心にそれぞれ固定巻線を巻き、固定巻線の外側にそれぞれ回転可能な左右２本の巻枠を有し、左右２本の巻枠は巻枠に固定した歯車を有し、この歯車をモータの歯車に結合して巻枠を同じ方向に回転させる機構と、左側の巻枠の可変巻線を右側の巻枠に巻き取ると同時に、右側の巻枠の可変巻線を左側の巻枠に巻き取り、お互いに巻き解いた巻枠の跡に巻線を巻き取る構造の巻枠と可変巻線を有し、かつ、可変巻線は帯状の導体を巻枠と平行に６〜１５枚重ねたものであり、かつ、巻枠の上下に環状の集電装置を有し、可変巻線の終端を環状の集電装置に接続することを特徴とする可変巻数変圧器
【請求項２】
上記請求項１、における環状の集電装置において、輪形の鉄心に絶縁したコイルを巻き付け、コイルにブラシが接触する面の絶縁を除き導電部とし、コイルの導電部に接触する位置にブラシを取り付け、コイルの一部に他の導電部より広い導電部を設け、この広い導電部に、コイルの巻始め、及び、巻終わり、及び、可変巻線の終端を接続する構造を有し、かつ、上記の構造を巻枠の上下に設置し、ブラシを電源に接続し、広い導電部を静止位置とし、常時はこの静止位置にブラシが接触した状態で巻枠を静止させ、巻枠を回転する場合は早く回転し、静止位置で停止する駆動機構を有することを特徴とする、可変巻数変圧器に用いる集電装置。
【請求項３】
上記請求項１、における環状の集電装置において、円筒形のリングの一部を絶縁部とし、他の部分を導電部とした構造の集電リングを有し、集電リングに接触する位置にブラシ２組を有し、それぞれのブラシと電源の間に小型変圧器の１次側巻線を接続し、２次側の巻線に半導体スイッチを接続する回路を有し、さらに集電リングの絶縁部より１８０度の位置の導電部を静止位置とし、ここに可変巻線の終端を接続こと。
上記の構造を巻枠の上下に設置し、常時は静止位置にブラシが接触した状態で巻枠が静止し、巻枠を回転する時は早く回転し、静止位置で停止する駆動機構を有することを特徴とする、可変巻数変圧器に用いる集電装置に接続する電気回路。